(57)【要約】  基板処理装置（１０）は、基板（Ｓ）を収容する収容部（１１）と、プラズマ生成用ガスを供給するガス供給部（１３）と、プラズマ生成用ガスからプラズマを生成して収容部（１１）にプラズマを供給するプラズマ供給部（１２）とを備える。プラズマ生成用ガスは、窒素原子および酸素原子の少なくとも一方を含む。ガス供給部（１３）は、水素ガスの流量に対する添加ガスの流量の比が１／５００以上となるようにプラズマ生成用ガスをプラズマ供給部（１２）に供給する。
2017029961.tif 000002
【特許請求の範囲】
【請求項１】
水素ガスと添加ガスとを混合することによって混合ガスを生成すること、
前記混合ガス、または前記混合ガスと希ガスとを組み合わせたガスからプラズマを生成すること、
基板上に形成された酸化膜を前記プラズマによって還元すること、
を備え、
前記添加ガスは、窒素原子および酸素原子の少なくとも一方を含み、
前記混合ガスを生成することは、前記水素ガスの流量に対する前記添加ガスの流量の比である流量比が１／５００以上となるように前記添加ガスと前記水素ガスとを混合することを含む、
基板処理方法。
【請求項２】
前記添加ガスが酸素ガスであり、前記流量比が１／１０以下に設定される、
請求項１に記載の基板処理方法。
【請求項３】
前記添加ガスが窒素ガスであり、前記流量比が１／１０以下に設定される、
請求項１に記載の基板処理方法。
【請求項４】
前記酸化膜を還元することは、前記プラズマを第１プラズマとして用いて前記酸化膜を還元することを含み、
前記酸化膜を前記第１プラズマによって還元した後に前記添加ガスの供給を停止することによって、前記水素ガスまたは前記水素ガスと前記希ガスとを組み合わせたガスから第２プラズマを生成すること、
前記第２プラズマを前記基板に適用すること、
をさらに備える
請求項１〜３のいずれか一項に記載の基板処理方法。
【請求項５】
基板を収容する収容部と、
プラズマ生成用ガスを供給するガス供給部と、
前記ガス供給部によって供給された前記プラズマ生成用ガスからプラズマを生成して、前記収容部に前記プラズマを供給するプラズマ供給部と、
を備え、
前記プラズマ生成用ガスは、水素ガスと添加ガスとの混合ガス、または前記混合ガスと希ガスとを組み合わせたガスであり、
前記添加ガスは、窒素原子および酸素原子の少なくとも一方を含み、
前記ガス供給部は、前記水素ガスの流量に対する前記添加ガスの流量の比である流量比が１／５００以上となるように前記プラズマ生成用ガスを前記プラズマ供給部に供給するように構成されている、
基板処理装置。
【請求項６】
前記ガス供給部は、前記プラズマ生成用ガスを第１プラズマ生成用ガスとして供給可能であるとともに、前記水素ガスまたは前記水素ガスと前記希ガスとを組み合わせたガスを第２プラズマ生成用ガスとして供給可能であり、
制御部を更に備え、前記制御部は、
前記ガス供給部から前記プラズマ供給部に前記第１プラズマ生成用ガスを供給し、
前記プラズマ供給部によって前記第１プラズマ生成用ガスから第１プラズマを生成して前記収容部へ前記第１プラズマを供給し、
前記収容部へ前記第１プラズマを供給した後に前記添加ガスの供給を停止することによって前記ガス供給部から前記プラズマ供給部に前記第２プラズマ生成用ガスを供給し、
前記プラズマ供給部によって前記第２プラズマ生成用ガスから第２プラズマを生成して前記収容部へ前記第２プラズマを供給する
ことを含む処理を実行するように前記プラズマ供給部および前記ガス供給部を制御するように構成されている、
請求項５に記載の基板処理装置。
【発明の詳細な説明】
【技術分野】
【０００１】
本発明は、基板の表面に形成された酸化膜を還元するための基板処理方法および基板処理装置に関する。
【背景技術】
【０００２】
コンタクトホールなどから露出する金属膜の表面に形成された酸化膜を還元する方法として、水素含有ガスとヘリウムガスとを含む混合ガスのプラズマを用いる方法が知られている。この方法では、酸化膜に含まれる酸素がプラズマ中に含まれる水素イオンや水素ラジカルと反応することによって酸化膜が還元される（例えば、特許文献１参照）。
【先行技術文献】
【特許文献】
【０００３】
【特許文献１】特開２００１−２０３１９４号公報
【発明の概要】
【発明が解決しようとする課題】
【０００４】
ところで、上述した方法では、プラズマの生成に要する消費電力当たりの酸化膜の還元速度を高めることが求められている。
本発明は、消費電力当たりの酸化膜の還元速度を高めることができる基板処理方法および基板処理装置を提供することを目的とする。
【課題を解決するための手段】
【０００５】
一態様による基板処理方法は、水素ガスと添加ガスとを混合することによって混合ガスを生成すること、前記混合ガスまたは前記混合ガスと希ガスとを組み合わせたガスからプラズマを生成すること、基板上に形成された酸化膜を前記プラズマによって還元することを備える。前記添加ガスは、窒素原子および酸素原子の少なくとも一方を含む。前記混合ガスを生成することは、前記水素ガスの流量に対する前記添加ガスの流量の比である流量比が１／５００以上となるように前記添加ガスと前記水素ガスとを混合することを含む。【０００６】
一態様による基板処理装置は、基板を収容する収容部と、プラズマ生成用ガスを供給するガス供給部と、前記ガス供給部によって供給された前記プラズマ生成用ガスからプラズマを生成して、前記収容部に前記プラズマを供給するプラズマ供給部とを備える。前記プラズマ生成用ガスは、水素ガスと添加ガスとの混合ガス、または前記混合ガスと希ガスとを組み合わせたガスである。前記添加ガスは、窒素原子および酸素原子の少なくとも一方を含む。前記ガス供給部は、前記水素ガスの流量に対する前記添加ガスの流量の比である流量比が１／５００以上となるように前記プラズマ生成用ガスを前記プラズマ供給部に供給するように構成されている。【０００７】
上記方法および装置によれば、水素ガスのみあるいは水素ガスと希ガスとが混合されたガスからプラズマが生成される場合と比べて、水素ガスと添加ガスとの混合ガスからプラズマが生成されることによって、水素ガスから生成された活性種の失活が添加ガスによって好適に抑えられる。そのため、水素ガスから生成された活性種のうち、酸化膜に到達する活性種の割合が高まり、結果として、消費電力当たりの酸化膜の還元速度が高まる。【０００８】
一実施形態において、前記添加ガスは酸素ガスとすることができる。前記流量比は１／１０以下であることが好ましい。
この方法によれば、活性種の失活を抑えられるとともに、プラズマ中の酸素が基板に残ることを抑えることが可能となる。【０００９】
一実施形態において、前記添加ガスは窒素ガスとすることができる。前記流量比は１／１０以下であることが好ましい。
この方法によれば、活性種の失活を抑えられるとともに、プラズマ中の窒素が基板に残ることを抑えることが可能となる。【００１０】
一実施形態では、上記基板処理方法において、前記酸化膜を還元することは、前記プラズマを第１プラズマとして用いて前記酸化膜を還元することを含み、方法は更に、前記酸化膜を前記第１プラズマによって還元した後に前記添加ガスの供給を停止することによって、前記水素ガスまたは前記水素ガスと前記希ガスとを組み合わせたガスから第２プラズマを生成すること、および前記第２プラズマを前記基板に適用することを含んでもよい。【００１１】
また、一実施形態では、上記基板処理装置において、前記ガス供給部は、前記プラズマ生成用ガスを第１プラズマ生成用ガスとして供給可能であるとともに、前記水素ガスまたは前記水素ガスと前記希ガスとを組み合わせたガスを第２プラズマ生成用ガスとして供給可能である。装置はさらに制御部をさらに備える。この場合、前記制御部は、前記ガス供給部から前記プラズマ供給部に前記第１プラズマ生成用ガスを供給すること、前記プラズマ供給部によって前記第１プラズマ生成用ガスから第１プラズマを生成して前記収容部へ前記第１プラズマを供給すること、前記収容部へ前記第１プラズマを供給した後に前記添加ガスの供給を停止することによって前記ガス供給部から前記プラズマ供給部に前記第２プラズマ生成用ガスを供給すること、前記プラズマ供給部によって前記第２プラズマ生成用ガスから第２プラズマを生成して前記収容部へ前記第２プラズマを供給することを含む処理を実行するように前記プラズマ供給部および前記ガス供給部を制御するように構成されている。【００１２】
上記方法および装置によれば、第１プラズマによって酸化膜を還元した後に基板に残存した酸素原子および窒素原子の少なくとも一方を、第２プラズマを用いた基板処理によって取り除くことができる。
【図面の簡単な説明】
【００１３】
【図１】本発明の一実施形態における基板処理装置を示す概略ブロック図である。
【図２】水素ガスを用いて銅膜表面の酸化膜を還元したときの銅膜の反射率の変化と還元率とを示すグラフである。
【図３】窒素ガスを添加ガスとして含む第１プラズマ生成用ガスを用いて銅膜表面の酸化膜を還元したときの銅膜の反射率の変化と還元率とを示すグラフである。
【図４】酸素ガスを添加ガスとして含む第１プラズマ生成用ガスを用いて銅膜表面の酸化膜を還元したときの銅膜の反射率の変化と銅膜の還元率とを示すグラフである。
【図５】水素プラズマの発光スペクトルと発光強度との関係を示すグラフである。
【図６】試験例４の分析用基板におけるＳＩＭＳによる表面分析の結果を示すグラフである。
【図７】試験例５の分析用基板におけるＳＩＭＳによる表面分析の結果を示すグラフである。
【図８】試験例６の分析用基板におけるＳＩＭＳによる表面分析の結果を示すグラフである。
【図９】試験例７の分析用基板におけるＳＩＭＳによる表面分析の結果を示すグラフである。
【図１０】試験例８の分析用基板におけるＳＩＭＳによる表面分析の結果を示すグラフである。
【発明を実施するための形態】
【００１４】
図１から図１０を参照して、基板処理方法および基板処理装置の一実施形態を説明する。以下では、基板処理装置の構成、基板処理方法、実施例を順番に説明する。
［基板処理装置の構成］
図１を参照して基板処理装置の構成を説明する。
【００１５】
図１が示すように、基板処理装置１０は、基板Ｓを収容する収容部１１と、収容部１１にプラズマを供給するプラズマ供給部１２と、プラズマ供給部１２にガスを供給するガス供給部１３とを備えている。
【００１６】
ガス供給部１３は、プラズマ生成用ガスをプラズマ供給部１２に供給する。プラズマ生成用ガスは、混合ガス、または混合ガスと希ガスとを組み合わせたガスであり、混合ガスは、水素ガスと添加ガスとを混合したガスである。添加ガスは、窒素原子および酸素原子の少なくとも一方を含む。ガス供給部１３は、プラズマ供給部１２にプラズマ生成用ガスを供給するとき、水素ガスの流量に対する添加ガスの流量の比である流量比が１／５００以上となるように、混合ガスにおける水素ガスの流量と添加ガスの流量とを調節する。プラズマ供給部１２は、ガス供給部１３から供給されたプラズマ生成用ガスからプラズマを生成し、プラズマを収容部１１に供給する。
【００１７】
ガス供給部１３は、例えば、水素ガス用のマスフローコントローラと、添加ガス用のマスフローコントローラとを含む。各マスフローコントローラは、基板処理装置１０の外部に位置する各ガスのボンベに接続されている。ガス供給部１３の供給する添加ガスは、例えば、窒素ガス、酸素ガス、一酸化窒素ガス、二酸化窒素ガス、アンモニア、および水（Ｈ２Ｏガス）からなる群から選択される少なくとも１つである。添加ガスは、窒素ガスまたは酸素ガスであることが好ましい。
【００１８】
ガス供給部１３は、混合ガス（水素ガスと添加ガス）に加えて、ヘリウムガスやアルゴンガスなどの希ガスをプラズマ供給部１２に供給してもよい。希ガスは、混合ガスからのプラズマの生成や混合ガスの流れを補助するための補助ガスとして機能する。この場合には、ガス供給部１３は、補助ガス用のマスフローコントローラを含んでいればよい。
【００１９】
プラズマ供給部１２は、プラズマ生成室２１、プラズマ源２２、および高周波電源２３を備えている。プラズマ生成室２１は収容部１１に接続されている。プラズマ生成室２１に形成されたガス供給口２１ａには、ガス供給部１３が接続されている。
【００２０】
プラズマ源２２は、プラズマ生成室２１の周りに配置されている。プラズマ源２２には、プラズマ源２２に高周波電圧を印加する高周波電源２３が接続されている。プラズマ源２２は、混合ガスからプラズマを生成することが可能であれば、誘導結合方式のプラズマ源であってもよいし、マグネトロン方式のプラズマ源であってもよい。
【００２１】
プラズマ供給部１２は、プラズマ生成室２１にプラズマ生成用ガスが供給されている状態で、プラズマ源２２に高周波電源２３から高周波電圧を印加することにより、プラズマ生成用ガスからプラズマを生成する。そして、プラズマ供給部１２は、プラズマ生成室２１から収容部１１にプラズマを供給する。
【００２２】
プラズマ生成用ガスから生成されたプラズマには、水素ガスから生成された活性種が含まれ、活性種は、例えば、還元性を有する水素イオンおよび水素ラジカルなどである。
収容部１１は、プラズマ生成室２１に接続されるプラズマ供給口を含む。収容部１１内において、このプラズマ供給口と対向する位置には、拡散部１４が配置されている。プラズマ生成室２１から収容部１１に供給されたプラズマは、拡散部１４と衝突することによって、収容部１１内においてプラズマ供給口の径方向に拡散する。
【００２３】
収容部１１の内部には、基板Ｓを支持する支持部１５が配置されている。支持部１５は、例えば、基板Ｓが載置されるステージであってもよいし、基板Ｓの周囲を把持するクランプであってもよい。支持部１５は、基板Ｓを加熱する図示されない加熱機構を有し、例えば、加熱機構には、抵抗加熱など公知の機構が採用される。基板Ｓには、プラズマ生成用ガスから生成されたプラズマが供給される。基板Ｓは、例えば、シリコン層と、銅などから形成された金属層などの導電層と、導電層の表面に形成された酸化膜とを含む。
【００２４】
収容部１１は、プラズマ供給口とは反対側の壁に形成された排気口１１ａを含む。排気口１１ａには排気部１６が接続されている。排気部１６は、例えば、収容部１１の内部の圧力を調節する圧力調節弁や各種のポンプを含み、収容部１１の内部の圧力を所定の圧力まで減圧する。
【００２５】
基板処理装置１０は制御部３０を備え、制御部３０は、プラズマ供給部１２の駆動と、ガス供給部１３の駆動とを制御する。
制御部３０は、例えば、高周波電源２３の駆動を制御することによってプラズマ供給部１２の駆動を制御する。例えば、制御部３０は、高周波電源２３からプラズマ源２２に高周波電力を供給するタイミング、および高周波電源２３が供給する電力の大きさなどを制御する。
【００２６】
制御部３０は、例えば、各マスフローコントローラの駆動を制御することによってガス供給部１３の駆動を制御する。例えば、制御部３０は、各マスフローコントローラがプラズマ生成室２１に向けてガスを供給するタイミング、およびプラズマ生成室２１に供給するガスの流量などを制御する。
【００２７】
例えば、制御部３０は、収容部１１に基板Ｓが収容された状態でガス供給部１３からプラズマ供給部１２に対するプラズマ生成用ガスの供給が開始されるようにガス供給部１３の駆動を制御する。また、制御部３０は、プラズマ供給部１２に供給されたプラズマ生成用ガスからプラズマが所定の時間にわたり生成されるようにプラズマ供給部１２の駆動を制御する。
【００２８】
なお、制御部３０は、プラズマ生成用ガスの流量が安定した後（例えば、プラズマ生成用ガスの供給から所定の時間が経過した後）にプラズマの生成が開始されるようにプラズマ供給部１２を制御することが好ましい。
【００２９】
本実施形態では、上述したプラズマ生成用ガスが第１プラズマ生成用ガスに相当する。また、水素ガス、または水素ガスと希ガスとを組み合わせたガス（つまり、第１プラズマ生成用ガスから添加ガスを除いたガス）が第２プラズマ生成用ガスに相当する。そして、第１プラズマ生成用ガスから生成されたプラズマが第１プラズマに相当し、第２プラズマ生成用ガスから生成されたプラズマが第２プラズマに相当する。
【００３０】
制御部３０は、第１プラズマが収容部１１に供給された後に、第２プラズマ生成用ガスの供給が開始されるようにガス供給部１３の駆動を制御してもよい。例えば、制御部３０は、ガス供給部１３の駆動を制御して、第１プラズマ生成用ガスの添加ガスの流量を徐々に下げることにより、添加ガスを含むガス（つまり、第１プラズマ生成用ガス）の供給から添加ガスを含まないガス（つまり、第２プラズマ生成用ガス）の供給へとガス供給状態を遷移させてもよい。あるいは、制御部３０は、ガス供給部１３の駆動を制御して、第１プラズマ生成用ガスの添加ガスの流量を一度に下げることにより、添加ガスを含むガス（第１プラズマ生成用ガス）の供給から添加ガスを含まないガス（第２プラズマ生成用ガス）の供給へとガス供給状態を遷移させてもよい。また、制御部３０は、第２プラズマ生成用ガスから第２プラズマが所定の時間にわたり生成されるようにプラズマ供給部１２の駆動を制御する。
【００３１】
なお、第２プラズマの生成に際し、制御部３０は、第１プラズマの生成後もガスの供給と高周波電力の供給とを継続することで第２プラズマの生成を開始するようにガス供給部１３および高周波電源２３を制御してもよい。すなわち、第１プラズマの生成と第２プラズマの生成を連続的に行ってもよい。あるいは、制御部３０は、第１プラズマの生成後、ガスの供給を継続する一方で高周波電力の供給を一度停止し、その後、高周波電力の供給を再開することで第２プラズマの生成を開始するようにガス供給部１３および高周波電源２３を制御してもよい。あるいは、制御部３０は、第１プラズマの生成後、高周波電力の供給とガスの供給を共に一度停止し、その後、ガスの供給と高周波電力の供給を再開することで第２プラズマの生成を開始するようにガス供給部１３および高周波電源２３を制御してもよい。
【００３２】
［基板処理方法］
上述した基板処理装置にて実施される基板処理方法を説明する。
基板処理方法では、まず、水素ガスの流量に対する添加ガスの流量の比である流量比が１／５００以上となるように添加ガスと水素ガスとを混合することによって混合ガスを生成する。その後、混合ガス、または混合ガスと希ガスとを組み合わせたガスからプラズマを生成する。そして、基板Ｓ上に形成された酸化膜にプラズマを適用することによって、酸化膜を還元する。基板Ｓがプラズマ処理されるとき、基板Ｓは加熱されていてもよい。例えば、基板Ｓがプラズマ処理されるときの基板Ｓの温度は５０℃以上であり、１５０℃以上であることが好ましい。基板Ｓがプラズマ処理されるときの基板Ｓの温度の上限値は特に制限されないが、上限値は、基板Ｓを保護することができる温度であればよく、例えば、３５０℃以下であればよい。
【００３３】
本例では、制御部３０は、ガス供給部１３によって供給される混合ガスにおける流量比が１／５００以上となるようにガス供給部１３の駆動を制御する。そして、制御部３０が高周波電源２３の駆動を制御して高周波電源２３からプラズマ源２２に高周波電圧を印加し、プラズマ生成室２１の内部にてプラズマ生成用ガスからプラズマを生成する。
【００３４】
これにより、排気部１６によって収容部１１内に形成されたガスの流れに応じて基板Ｓにプラズマが適用され、基板Ｓの酸化膜が還元される。
こうした方法および装置によれば、水素ガスのみ、あるいは水素ガスと希ガスとの混合ガスからプラズマが生成される場合と比べて、混合ガスに含まれる添加ガスが、水素ガスから生成された活性種の失活を好適に抑えるものとなる。そのため、水素ガスから生成された活性種のうち、酸化膜に到達する活性種の割合が高まり、結果として、消費電力当たりの酸化膜の還元速度が高まる。
【００３５】
また、基板処理方法では、酸化膜を還元する処理において、第１プラズマ生成用ガスから生成された第１プラズマによって酸化膜を還元した後に、第２プラズマ生成用ガスから生成された第２プラズマを基板Ｓに適用してもよい。
【００３６】
この場合、例えば、制御部３０は、以下の処理を実行するようにガス供給部１３およびプラズマ供給部１２を制御してもよい。まず、ガス供給部１３からプラズマ供給部１２に第１プラズマ生成用ガスを供給し、プラズマ供給部１２によって第１プラズマ生成用ガスから第１プラズマを生成する。そして、第１プラズマを収容部１１へ供給して第１プラズマにより酸化膜を還元する。その後、ガス供給部１３からプラズマ供給部１２への添加ガスの供給を停止することによってプラズマ供給部１２に第２プラズマ生成用ガスを供給し、プラズマ供給部１２によって第２プラズマ生成用ガスから第２プラズマを生成する。そして、第２プラズマを収容部１１へ供給する。
【００３７】
こうした方法および装置によれば、第１プラズマを用いた酸化膜の還元の後、基板Ｓに対し第２プラズマが供給される。このため、第１プラズマを用いて酸化膜の還元を行った後に基板Ｓに残存した酸素原子および窒素原子の少なくとも一方を、第２プラズマによって基板Ｓから取り除くことができる。
【００３８】
［試験例］
図２から図１０を参照して試験例を説明する。
［混合ガスにおける流量比］
図２は、水素ガスのみを用いて酸化膜を還元したときの還元率を示すグラフであり、図３は、窒素ガスを添加ガスとして含む第１プラズマ生成用ガスを用いて酸化膜を還元したときの還元率を示すグラフであり、図４は、酸素ガスを添加ガスとして含む第１プラズマ生成用ガスを用いて酸化膜を還元したときの還元率を示すグラフである。
【００３９】
なお、酸化膜の還元率は、以下の方法で算出した。まず、基板Ｓの面に銅膜を形成し、４３６ｎｍの波長の光を用いて銅膜の反射率を測定した。そして、銅膜を熱酸化によって強制酸化し、強制酸化後の銅膜の反射率を測定した。次いで、各ガスから生成されたプラズマを用いて銅膜の表面に形成された酸化膜を還元し、還元後の銅膜の反射率を測定した。強制酸化後の銅膜における反射率に対する還元後の銅膜における反射率の比を還元率として算出した。
【００４０】
また、水素ガスの流量、アルゴンガスの流量、収容部１１の内部の圧力、処理時間、および基板Ｓの温度は、添加ガスが含まれるか否かに関わらず同じ条件に設定した。本例では、水素ガスの流量を１０００ｓｃｃｍ、アルゴンガスの流量を２００ｓｃｃｍ、収容部１１の内部の圧力を７０Ｐａ、処理時間を７０秒、基板Ｓの温度を１５０℃に設定した。そして、プラズマ源２２としてマイクロ波を用い、混合ガス（水素ガスと添加ガス）を含む第１プラズマ生成用ガスを用いて酸化膜を還元するときには、添加ガスの種類に関わらず、プラズマ源２２に供給される高周波電力を５００Ｗに設定した。
【００４１】
図２に示すように、プラズマ源２２に５００Ｗの高周波電力を供給して水素プラズマを生成したときには還元率が１．０４であり、プラズマ源２２に１０００Ｗの高周波電力を供給して水素プラズマを生成したときには還元率が１．１０であることが認められた。
【００４２】
図３に示すように、窒素ガスの流量が１ｓｃｃｍであって流量比が１／１０００であるときには還元率が１．０５であり、窒素ガスの流量が２ｓｃｃｍであって流量比が１／５００であるときには還元率が１．４０であることが認められた。また、窒素ガスの流量が５ｓｃｃｍであって流量比が１／２００であるときには還元率が１．５０であり、窒素ガスの流量が１０ｓｃｃｍであって流量比が１／１００であるときには還元率が１．４５であり、窒素ガスの流量が５０ｓｃｃｍであって流量比が１／２０であるときには還元率が１．３８であることが認められた。
【００４３】
図４に示すように、酸素ガスの流量が０．５ｓｃｃｍであって流量比が１／２０００であるときには還元率が１．０３であり、酸素ガスの流量が１ｓｃｃｍであって流量比が１／１０００であるときには還元率が１．１８であることが認められた。また、酸素ガスの流量が２ｓｃｃｍであって流量比が１／５００であるときには還元率が１．５７であり、酸素ガスの流量が５ｓｃｃｍであって流量比が１／２００であるときには還元率が１．５２であることが認められた。また、酸素ガスの流量が１０ｓｃｃｍであって流量比が１／１００であるときには還元率が１．６６であり、酸素ガスの流量が５０ｓｃｃｍであって流量比が１／２０であるときには還元率が１．７２であることが認められた。
【００４４】
このように、添加ガスが窒素ガスであるときだけでなく、添加ガスが酸素ガスであるときにも、流量比が１／５００以上であれば、水素ガスのみから生成されたプラズマによって酸化膜を還元するときと比べて、還元率が大きく高まることが認められた。すなわち、消費電力当たりの酸化膜の還元速度が高まることが認められた。
【００４５】
また、流量比が１／５００以上であれば、プラズマ源２２に供給する高周波電力が５００Ｗであっても、水素ガスのみを用いてプラズマ源２２に１０００Ｗの高周波電力を供給してプラズマを生成したときよりも還元率が高まる。従って、水素ガスに添加ガスを混合することで、プラズマ源２２に供給する高周波電力を単純に大きくするよりも、酸化膜の還元率を高める効果を上げることができる。
【００４６】
添加ガスが窒素ガスであるとき、消費電力当たりの酸化膜の還元速度を高め、かつ還元後の基板に窒素原子が残存することを好適に抑えるには、流量比は、１／５００以上１／１０以下であることが好ましく、１／５００以上１／２０以下であることがより好ましく、１／５００以上１／１００以下であることがさらに好ましい。
【００４７】
添加ガスが酸素ガスであるとき、消費電力当たりの酸化膜の還元速度を高め、かつ還元後の基板に酸素原子が残存することを好適に抑えるには、流量比は、１／５００以上１／１０以下であることが好ましく、１／５００以上１／２０以下であることがより好ましい。
【００４８】
［水素プラズマの発光強度］
図５を参照して水素プラズマの発光強度を説明する。図５は、以下の試験例１〜３において、プラズマ発光モニターによって水素プラズマの発光強度を測定した結果を示すグラフである。なお、試験例１〜３の各々では、プラズマ源２２としてマイクロ波を用いた。
【００４９】
［試験例１］
試験例１では、プラズマ生成用ガスとして水素ガスを用いてプラズマを発生させた。この試験例１では、水素ガスの流量を１０００ｓｃｃｍ、アルゴンガスの流量を２００ｓｃｃｍ、プラズマ源２２に供給する高周波電力を５００Ｗに設定した。
【００５０】
［試験例２］
試験例２では、窒素ガスを添加ガスとして含む第１プラズマ生成用ガスを用いてプラズマを発生させた。この試験例２では、水素ガスの流量を１０００ｓｃｃｍに設定しかつ窒素ガスの流量を２ｓｃｃｍに設定することにより流量比を１／５００に設定した。また、アルゴンガスの流量を２００ｓｃｃｍ、プラズマ源２２に供給する高周波電力を５００Ｗに設定した。
【００５１】
［試験例３］
試験例３では、プラズマ生成用ガスとして水素ガスを用いてプラズマを発生させた。この試験例３では、水素ガスの流量を１０００ｓｃｃｍ、アルゴンガスの流量を２００ｓｃｃｍ、プラズマ源２２に供給する高周波電力を１０００Ｗに設定した。
【００５２】
図５に示すように、試験例１の発光強度よりも試験例２の発光強度が大きく、試験例２の発光強度よりも試験例３の発光強度が大きいことが認められた。また、試験例１の発光強度と試験例２の発光強度との差よりも、試験例２の発光強度と試験例３の発光強度との差が大きいことが認められた。
【００５３】
ここで、先に説明した図２に示すように、試験例１の条件における還元率が１．０４であり、試験例３の条件における還元率が１．１０である一方で、先に説明した図３に示すように、試験例２の条件における還元率が１．４０である。そのため、試験例２における還元率は、水素ガスから生成されたプラズマ中に含まれる活性種の量が試験例１よりも大きくなるために高まるのではない。むしろ、試験例２では、添加ガス（窒素ガス）により例えば水素ラジカルの再結合が抑えられることによって活性種の失活が抑えられる。これにより、基板Ｓの酸化膜に到達する活性種の量が増大し、その結果、試験例２での還元率が、試験例１（および試験例３）での還元率よりも高められている。
【００５４】
［ＳＩＭＳによる表面分析］
図６から図１０を参照して、以下の試験例４〜８の各分析用基板に対するＳＩＭＳによる表面分析の結果を説明する。
【００５５】
［試験例４］
基板の面上に５ｎｍの厚さを有したタンタル層を形成し、タンタル層の面上に１５０ｎｍの厚さを有した第１銅層を形成して、積層体を形成した。そして、積層体を１０日間にわたって大気中に静置した後、第１銅層の面上に５０ｎｍの厚さを有した第２銅層を形成して、試験例４の分析用基板を得た。
【００５６】
［試験例５］
積層体を大気中に静置した後、第２銅層を形成する前に積層体に対して還元処理を行うこと以外は、試験例４と同様の方法によって試験例５の分析用基板を得た。試験例５での還元処理では、水素ガスの流量を１０００ｓｃｃｍ、アルゴンガスの流量を２００ｓｃｃｍ、添加ガスである酸素ガスの流量を２ｓｃｃｍ、収容部１１の内部の圧力を７０Ｐａ、高周波電力を５００Ｗ、処理時間を１０秒、基板Ｓの温度を１５０℃に設定した。なお、プラズマ源２２としてマイクロ波を用いた。
【００５７】
［試験例６］
還元処理において処理時間を６０秒に設定すること以外は、試験例５と同様の方法によって試験例６の分析用基板を得た。
【００５８】
［試験例７］
還元処理において添加ガスとして窒素ガスを用いること以外は、試験例６と同様の方法によって試験例７の分析用基板を得た。
【００５９】
［試験例８］
試験例５と同様の条件で第１銅層の表面を還元した後、第２銅層を形成する前に第２プラズマ生成用ガスを用いて第１銅層の表面を処理すること以外は、試験例５と同様の方法によって試験例８の分析用基板を得た。第２プラズマ生成用ガスを用いて第１銅層の表面を処理する工程では、水素ガスの流量を１０００ｓｃｃｍ、アルゴンガスの流量を２００ｓｃｃｍ、収容部１１の内部の圧力を７０Ｐａ、高周波電力を５００Ｗ、処理時間を６０秒に設定した。
【００６０】
［分析結果］
図６に示すように、試験例４の分析用基板では、第１銅層の表面における酸素原子の濃度が１．５×１０２２原子／ｃｍ３であり、窒素原子の濃度が１．０×１０１９原子／ｃｍ３であり、炭素原子の濃度が２．０×１０１９原子／ｃｍ３であり、水素原子の濃度が５．０×１０２０原子／ｃｍ３であることが認められた。
【００６１】
図７に示すように、試験例５の分析用基板では、第１銅層の表面における酸素原子の濃度が８．０×１０１９原子／ｃｍ３であり、窒素原子の濃度、炭素原子の濃度、および水素原子の濃度が、いずれも検出下限値と同程度であることが認められた。言い換えれば、第１銅層の表面には、窒素原子、炭素原子、および水素原子のいずれもほぼ残存していないことが認められた。
【００６２】
すなわち、試験例５における還元処理によれば、第１銅層の表面に形成された酸化膜を還元することが可能であるものの、第１銅層の表面に酸素原子が残存することが認められた。また、試験例５における還元処理によれば、酸化膜の還元に加えて、第１銅層の表面から窒素原子、炭素原子、および水素原子も取り除かれることが認められた。
【００６３】
図８に示すように、試験例６の分析用基板では、第１銅層の表面における酸素原子の濃度が９．０×１０１９原子／ｃｍ３であり、窒素原子の濃度、炭素原子の濃度、および水素原子の濃度が、いずれも検出下限値と同程度であることが認められた。言い換えれば、第１銅層の表面には、窒素原子、炭素原子、および水素原子のいずれもほぼ残存していないことが認められた。
【００６４】
すなわち、試験例６における還元処理によれば、第１銅層の表面に形成された酸化膜を試験例５と同程度に還元することが可能であるものの、第１銅層の表面に酸素原子が残存することが認められた。また、試験例６における還元処理によれば、酸化膜の還元に加えて、第１銅層の表面から窒素原子、炭素原子、および水素原子も取り除かれることが認められた。
【００６５】
図９に示すように、試験例７の分析用基板では、第１銅層の表面における酸素原子の濃度が検出下限値と同程度であり、窒素原子の濃度が６．０×１０１９原子／ｃｍ３であり、炭素原子の濃度が２．０×１０１９原子／ｃｍ３であり、水素原子の濃度が検出下限値と同程度であることが認められた。言い換えれば、第１銅層の表面には、酸素原子および水素原子がほぼ残存していないことが認められた。
【００６６】
すなわち、試験例７における還元処理によれば、第１銅層の表面に形成された酸化膜を還元することが可能であるものの、第１銅層の表面に窒素原子が残存することが認められた。また、試験例７における還元処理によれば、酸化膜の還元に加えて、第１銅層の表面から水素原子も取り除かれることが認められた。
【００６７】
図１０に示すように、試験例８の分析用基板では、第１銅層の表面における酸素原子の濃度、窒素原子の濃度、炭素原子の濃度、および水素原子の濃度の全てが、検出下限値と同程度であることが認められた。言い換えれば、第１銅層の表面には、酸素原子、窒素原子、炭素原子、および水素原子いずれも残存していないことが認められた。
【００６８】
すなわち、試験例８における還元処理によれば、第１プラズマ生成用ガスから生成されたプラズマを用いた酸化膜の還元の後に第１銅層の表面に残存する酸素原子が、第２プラズマ生成用ガスから生成されたプラズマを用いた第１銅層の処理によって取り除かれることが認められた。
【００６９】
このように、添加ガスとして酸素ガスを含む第１プラズマ生成用ガスから生成されたプラズマを用いた酸化膜の還元によれば、酸化膜が還元される。そして、第１プラズマ生成用ガスのプラズマを用いて酸化膜を還元した後に、第２プラズマ生成用ガスのプラズマを用いて基板を処理すれば、添加ガスに含まれる酸素原子を基板の表面から取り除くことができる。なお、ここでは説明を省略しているが、添加ガスとして窒素ガスを含む第１プラズマ生成用ガスのプラズマを用いて酸化膜の還元を行った後に、第２プラズマ生成用ガスのプラズマを用いて基板を処理した場合には、添加ガスに含まれる窒素原子を基板の表面から取り除くことができる。
【００７０】
本実施形態の基板処理方法および基板処理装置によれば、以下に列挙する効果を得ることができる。
（１）水素ガスのみからプラズマが生成される場合と比べて、水素ガスと添加ガスとの混合ガスからプラズマが生成されることによって、水素ガスから生成された活性種の失活が添加ガスによって好適に抑えられる。このため、水素ガスから生成された活性種のうち酸化膜に到達する活性種の割合が高まり、結果として、消費電力当たりの酸化膜の還元速度が高まる。
【００７１】
（２）添加ガスが酸素ガスであり、かつ、流量比が１／１０以下であれば、活性種の失活を抑えられるとともに、プラズマ中の酸素原子が基板に残ることを抑えることができる。
【００７２】
（３）添加ガスが窒素ガスであり、かつ、流量比が１／１０以下であれば、活性種の失活を抑えられるとともに、プラズマ中の窒素原子が基板に残ることを抑えることができる。
【００７３】
（４）第１プラズマによって酸化膜の還元を行った後に第２プラズマを用いて基板Ｓを処理することにより、第１プラズマの使用によって基板Ｓに残存した酸素原子および窒素原子の少なくとも一方を取り除くことができる。
【００７４】
上述した実施形態は、以下のように適宜変更して実施することもできる。
・添加ガスが窒素ガスであるとき、基板Ｓ上の酸化膜を還元することが可能であれば、流量比は１／１０よりも大きくてもよい。この際、混合ガスにおける流量比の上限値は、基板Ｓの表面に残る窒素原子が後工程の処理結果に影響を及ぼさない範囲から適宜選択されるものである。
【００７５】
・添加ガスが酸素ガスであるとき、基板Ｓ上の酸化膜を還元することが可能であれば、流量比は１／１０よりも大きくてもよい。この際、混合ガスにおける流量比の上限値は、基板Ｓの表面に残る酸素原子が後工程の処理結果に影響を及ぼさない範囲から適宜選択されるものである。
【００７６】
・流量比が１／５００以上であれば、水素ガスは１０００ｓｃｃｍ以外の流量であってもよい。この際、混合ガスにおける流量比の上限値は、基板Ｓの表面に残る窒素原子および／または酸素原子が後工程の処理結果に影響を及ぼさない範囲から適宜選択されるものである。
【００７７】
・プラズマ供給部１２は、収容部１１の外部においてプラズマを生成して収容部１１にプラズマを供給する構成に限らず、収容部１１の内部においてプラズマを生成する構成であってもよい。こうした構成では、プラズマ供給部１２は、例えば、収容部１１と、収容部１１の周囲に配置される誘導結合プラズマ（ＩＣＰ）コイルと、ＩＣＰコイルに高周波電圧を印加する電源とを備えていればよい。
【符号の説明】
【００７８】
１０…基板処理装置、１１…収容部、１１ａ…排気口、１２…プラズマ供給部、１３…ガス供給部、１４…拡散部、１５…支持部、１６…排気部、２１…プラズマ生成室、２１ａ…ガス供給口、２２…プラズマ源、２３…高周波電源、３０…制御部、Ｓ…基板。
【図１】
2017029961.tif 000003
【図２】
2017029961.tif 000004
【図３】
2017029961.tif 000005
【図４】
2017029961.tif 000006
【図５】
2017029961.tif 000007
【図６】
2017029961.tif 000008
【図７】
2017029961.tif 000009
【図８】
2017029961.tif 000010
【図９】
2017029961.tif 000011
【図１０】
2017029961.tif 000012
【国際調査報告】
2017029961.tif 000013
2017029961.tif 000014
2017029961.tif 000015
2017029961.tif 000016